(57)【要約】【課題】駆動ワイヤによって窓ガラスを昇降移動させるワイヤ式ウィンドレギュレータにおいて、駆動ワイヤの経年劣化が少ないワイヤ式ウィンドレギュレータを提供する。【解決手段】車両用ドア内の上方位置と下方位置に備えられる少なくとも一対のワイヤガイド部材、この上下のワイヤガイド部材に巻き掛けられ、この上下のワイヤガイド部材の上下方向の間においてワイヤエンドを介して窓ガラスに結合される駆動ワイヤ、およびこの駆動ワイヤを一方で巻き取り他方で繰り出して、上記窓ガラスを昇降移動させる正逆巻取駆動装置を備えたワイヤ式ウインドレギュレータにおいて、上記ワイヤエンドは、上記窓ガラスに対して装着される装着部と、この装着部から相反する方向に延びた、上記駆動ワイヤが挿入固定されるワイヤ保持部とを有し、上記ワイヤ保持部は、上記駆動ワイヤを内部に保持する固定部からワイヤ保持部の外に引き出す方向に上記駆動ワイヤから徐々に離反して上記駆動ワイヤを解放する拡径穴を備えた。【選択図】    図２
2006009528.tif 000002
【特許請求の範囲】
【請求項１】
車両用ドア内の上方位置と下方位置に備えられる少なくとも一対のワイヤガイド部材、この上下のワイヤガイド部材に巻き掛けられ、この上下のワイヤガイド部材の上下方向の間においてワイヤエンドを介して窓ガラスに結合される駆動ワイヤ、およびこの駆動ワイヤを一方で巻き取り他方で繰り出して、上記窓ガラスを昇降移動させる正逆巻取駆動装置を備えたワイヤ式ウインドレギュレータにおいて、
上記ワイヤエンドは、上記窓ガラスに対して装着される装着部と、この装着部から相反する方向に延びた、上記駆動ワイヤが挿入固定されるワイヤ保持部とを有し、
上記ワイヤ保持部は、上記駆動ワイヤを内部に保持する固定部からワイヤ保持部の外に引き出す方向に上記駆動ワイヤから徐々に離反して上記駆動ワイヤを解放する拡径穴を備えていること、を特徴とするワイヤ式ウィンドレギュレータ。
【請求項２】
請求項１記載のワイヤ式ウィンドレギュレータにおいて、上記拡径穴の縦断面の輪郭は、内方に向かって凸で、かつ固定部側から開放方向に向かって徐々に曲率が大きくなる曲線形状とし、上記拡径穴の開口縁部の縦断面形状を上記曲線形状に連なる曲線形状としたワイヤ式ウインドレギュレータ。
【請求項３】
請求項１または２記載のワイヤ式ウィンドレギュレータにおいて、上記ワイヤエンドは、上記装着部として、中心に固定穴を有する環状部を有し、該固定穴を貫通する軸によって窓ガラスに対して揺動自在に軸支されるワイヤ式ウィンドレギュレータ。
【請求項４】
請求項３記載のワイヤ式ウィンドレギュレータにおいて、上記各ワイヤ保持部は、上記環状部から直径方向に突設されているワイヤ式ウィンドレギュレータ。
【請求項５】
請求項４記載のワイヤ式ウィンドレギュレータにおいて、上記ワイヤエンドは、合成樹脂材料からなり、駆動ワイヤが上記ワイヤ保持部の拡径穴に連なる固定部内にインサート成形されているワイヤ式ウィンドレギュレータ。
【請求項６】
請求項４記載のワイヤ式ウィンドレギュレータにおいて、上記ワイヤエンドは、鋳込み金属材料からなり、駆動ワイヤがワイヤ保持部内の拡径穴に連なる固定部内に鋳込み固定されているワイヤ式ウィンドレギュレータ。
【請求項７】
請求項５または６記載のワイヤ式ウィンドレギュレータにおいて、駆動ワイヤは、ワイヤ保持部内および環状部内において連なっている非切断駆動ワイヤであるワイヤ式ウィンドレギュレータ。
【請求項８】
請求項７記載のワイヤ式ウィンドレギュレータにおいて、駆動ワイヤは上記環状部内において、一回り以上周回しているワイヤ式ウィンドレギュレータ。
【発明の詳細な説明】
【技術分野】
【０００１】
本発明は、ワイヤ式ウィンドレギュレータに関し、特に駆動ワイヤを窓ガラスに結合する部分の構造に関する。
【背景技術】
【０００２】
ワイヤ式ウィンドレギュレータは、窓ガラスの車両ドア内での昇降ガイドの如何を問わず、車両ドア内の上下にワイヤガイド部材１１０、１２０を配置する一方、中間部に駆動ワイヤ１３２を一方で巻き取り他方で繰り出す正逆巻取駆動装置１３０を配置し、この上下のワイヤガイド部材１１０、１２０間に渡る駆動ワイヤ１３２の上下方向端部を、窓ガラス１５０に固定している（図７）。本件出願人は先に、窓ガラス１５０を昇降させる駆動ワイヤ１３２の上下方向部分を固定するワイヤエンド１４０を提案している（図８、特許文献１）。ワイヤエンド１４０は、中心部の固定穴１４１を有する環状部１４２と、内部に駆動ワイヤ１３２を有しこの環状部１４２を中心に上下に延びるワイヤ保持部１４３とを有する。このワイヤエンド１４０を、固定穴１４１を貫通するボルト等を介して、ワイヤエンド１４０を窓ガラス１５０に対して固定している。
【特許文献１】特開2002-206371号公報
【発明の開示】
【発明が解決しようとする課題】
【０００３】
駆動ワイヤ１３２は、樹脂材料のインサート成形または金属材料の鋳込み成形によってワイヤ保持部１４３に埋め込み形成される。ワイヤエンド１４０がワイヤガイド部材１１０、１２０を結ぶ直線上から外れる方向に駆動ワイヤ１３２が引かれると、駆動ワイヤ１３２はワイヤ保持部１４３の接触角部１４４から剪断力を受けてしまう（図９）。そのためこのワイヤエンド１４０は、ワイヤ保持部１４３の延長方向と平行に直線移動する窓ガラス用のワイヤ式ウィンドレギュレータにしか適用できなかった。
【０００４】
そこで本発明は、駆動ワイヤによって窓ガラスを昇降移動させるワイヤ式ウィンドレギュレータにおいて、駆動ワイヤの経年劣化が少ないワイヤ式ウィンドレギュレータを提供することを目的としてなされた。
【課題を解決するための手段】
【０００５】
この目的を達成する本発明は、車両用ドア内の上方位置と下方位置に備えられる少なくとも一対のワイヤガイド部材、この上下のワイヤガイド部材に巻き掛けられ、この上下のワイヤガイド部材の上下方向の間においてワイヤエンドを介して窓ガラスに係止される駆動ワイヤ、およびこの駆動ワイヤを一方で巻き取り他方で繰り出して、上記窓ガラスを昇降移動させる正逆巻取駆動装置を備えたワイヤ式ウィンドレギュレータにおいて、上記ワイヤエンドは、上記窓ガラスに対して装着される装着部と、この装着部から相反する方向に延びた、上記駆動ワイヤが挿入固定されるワイヤ保持部とを有し、上記ワイヤ保持部は、上記駆動ワイヤを内部に保持する固定部からワイヤ保持部の外に引き出す方向に上記駆動ワイヤから徐々に離反して上記駆動ワイヤを解放する拡径穴を備えていること、に特徴を有する。
【０００６】
上記拡径穴の縦断面の輪郭は、内方に向かって凸で、かつ固定部側から開放方向に向かって徐々に曲率が大きくなる曲線形状とし、上記拡径穴の開口縁部の縦断面形状を上記曲線形状に連なる曲線形状とすることが好ましい。
【０００７】
ワイヤエンドは、装着部として中心に固定穴を有する環状部を有し、該固定穴を貫通する軸によって窓ガラスに対して揺動自在に軸支する。
ワイヤエンドの各ワイヤ保持部は、環状部から直径方向に突設する。
より実際的には、このワイヤエンドは、合成樹脂材料で形成し、駆動ワイヤが上記ワイヤ保持部の拡径穴に連なる固定部内にインサート成形する。あるいは、鋳込み金属材料で形成し、駆動ワイヤがワイヤ保持部内の拡径穴に連なる固定部内に鋳込み固定する。
【０００８】
駆動ワイヤは、ワイヤ保持部内および環状部内において連なっている非切断駆動ワイヤ、あるいは環状部内において、一回り以上周回させると、駆動ワイヤがワイヤエンドから抜けるのを防止できる。
【発明の効果】
【０００９】
本発明によれば、窓ガラスに連結されたワイヤエンドから引き出される駆動ワイヤの方向が変わったり、振れたりしても拡径穴から剪断力等を受けることがない。つまり、ワイヤエンドが上下のワイヤガイド部材を結ぶ直線上を移動しなくても、あるいは駆動ワイヤがよじれたり、ねじれ方向に引っ張られても、駆動ワイヤがワイヤエンドから剪断力等を受けることがないので、駆動ワイヤが切断されることがない。
【発明を実施するための最良の形態】
【００１０】
図１ないし図３は、本発明によるワイヤ式ウィンドレギュレータをシングルワイヤタイプに適用した第一の実施形態を示す。図１に示すように、車両ドア（パネル）内の上方に固定される上方ブラケット１０には、軸１１でガイドプーリ（ワイヤガイド部材）１２が回転自在に支持され、下方に固定される下方ブラケット２０には、軸２１でガイドプーリ（ワイヤガイド部材）２２が回転自在に支持されている。上方ブラケット１０と下方ブラケット２０は、通常車両ドアのインナパネルに固定される。
【００１１】
車両ドア内には、この上方ブラケット１０と下方ブラケット２０の前方であって、両ブラケット１０、２０の高さ方向の略中央に位置させて、巻取装置ブラケット３０が固定されている。この巻取装置ブラケット３０には、正逆巻取駆動装置の巻取ドラム３１が回転自在に支持されている。巻取ドラム３１は、周知のように、電動駆動ユニットまたは手動ハンドルで正逆に回転駆動される。
【００１２】
以上のガイドプーリ１２、ガイドプーリ２２及び巻取ドラム３１間には、駆動ワイヤ３２が巻回されている。この駆動ワイヤ３２は、巻取ドラム３１を中心に見ると、巻取ドラム３１に巻回された駆動ワイヤ３２の両端部が、上方ブラケット１０のガイドプーリ１２方向と下方ブラケット２０のガイドプーリ２２方向とに分かれて出ていき、ガイドプーリ１２とガイドプーリ２２に巻き掛けられた後、それぞれ互いに接近する方向にガイドされ、それぞれの端部３２ｃがワイヤエンド４０に固定されている。巻取装置ブラケット３０と、上方ブラケット１０及び下方ブラケット２０との間にはそれぞれ、駆動ワイヤ３２を相対摺動自在に挿入した上下のアウタケーブル３３が配置され、上下のアウタケーブル３３は、一方の端部が巻取装置ブラケット３０に、他方の端部が上方ブラケット１０及び下方ブラケット２０に固定されている。
【００１３】
ワイヤエンド４０は、図２に示すように、装着部として形成された、中心部に固定穴４１を有する環状部４２と、この環状部４２の外周面から直径方向に略対称に延びるワイヤ固定筒状部（ワイヤ保持部）４３とを有する。この上下のワイヤ固定筒状部４３内の固定部４３ａに、ガイドプーリ１２でガイドされた駆動ワイヤ３２の切断端部３２ｃと、ガイドプーリ２２でガイドされた駆動ワイヤ３２の切断端部３２ｃがそれぞれ挿入され、固定部４３ａに固定されている。ワイヤ固定筒状部４３内には、各固定部４３ａから駆動ワイヤ３２が引き出される方向に内径が徐々に拡大し、駆動ワイヤ３２から徐々に離反して駆動ワイヤ３２を解放する拡径穴４３ｂが形成されている。この拡径穴４３ｂの縦断面の輪郭は、内方に向かって凸で、かつ固定部４３ａ側から開放方向に向かって徐々に曲率が大きくなる曲線形状とすることが好ましい。この構成によれば、駆動ワイヤ３２が振れたり、ワイヤエンド４０がガイドプーリ１２、２２を結ぶ直線から外れる方向に移動しても、駆動ワイヤ３２は固定部４３ａから拡径穴４３ｂの内面に沿って徐々に大きく曲がるので、駆動ワイヤ３２には剪断力がほとんど作用しない。さらに拡径穴４３ｂの曲線形状は、外周面まで連ならせるなどにより、拡径穴４３ｂの開口縁部も滑らかな曲線に加工することが好ましい。ワイヤエンド４０がガイドプーリ１２、２２を結ぶ直線からさらに大きく外れる方向に移動しても、駆動ワイヤ３２は曲面に沿って曲がるので、駆動ワイヤ３２に作用する剪断力等が小さい。
【００１４】
一方、車両ドアに昇降ガイドされる窓ガラス５０の下端部には、ガラス挿入溝５２を有するガラスチャンネル５１が固定されており、このガラスチャンネル５１には、ワイヤエンド４０を固定するための固定穴５３が形成されている。
【００１５】
ガイドプーリ１２を介して巻取ドラム３１に至る駆動ワイヤ３２と、ガイドプーリ２２を介して巻取ドラム３１に至る駆動ワイヤ３２は通常、巻取ドラム３１部分において分断されていて、その端部に、巻取ドラム３１と結合するための抜け止め突起を有している。一対の駆動ワイヤ３２は、この抜け止め突起を介して、全体としては一連の環状駆動ワイヤであるように巻取ドラム３１に巻回され、巻取ドラム３１を正逆に回転させると、駆動ワイヤ３２が一方で巻き取られ一方で繰り出され、ガイドプーリ１２、２２の回りを循環移動する。したがって、駆動ワイヤ３２が固定されたワイヤエンド４０、すなわち窓ガラス５０が駆動ワイヤ３２に引っ張られて上昇（閉鎖方向）移動または下降（開放方向）移動する。このような駆動ワイヤ３２の巻回構造及び手順は周知である。
【００１６】
上記構成のワイヤ式ウィンドレギュレータは、組立に当たり、車両ドア内に、上方ブラケット１０、下方ブラケット２０、巻取装置ブラケット３０を固定して、これらのガイドプーリ１２、ガイドプーリ２２、巻取ドラム３１間に、ワイヤエンド４０を有する駆動ワイヤ３２を巻回する。また、下端部をガラス挿入溝５２に挿入してガラスチャンネル５１に固定した窓ガラス５０を、車両ドアのインナパネルとアウタパネルの間に挿入する。そして、ワイヤエンド４０の固定穴４１とガラスチャンネル５１の固定穴５３との位置を合わせ、両固定穴４１、５３に固定ねじ５４を挿通固定することで、駆動ワイヤ３２と窓ガラス５０とを結合することができる。なお、固定ねじ５４によるワイヤエンド４０とガラスチャンネル５１との結合は、ワイヤエンド４０が固定ねじ５４を軸として揺動可能な構成でもよい。
【００１７】
このワイヤ式ウィンドレギュレータにおけるワイヤエンド４０の構成によれば、ワイヤエンド４０から相反する方向に延びる駆動ワイヤ３２は、通常の状態では拡径穴４３ｂの内面に接触しない。巻取ドラム３１が回転して駆動ワイヤ３２が循環移動し、窓ガラス５０を昇降移動させているときに、駆動ワイヤ３２が、例えば振動して傾いたりねじれたりすると、そのねじれ等が小さい場合は駆動ワイヤ３２は固定部４３ａ近傍の拡径穴４３ｂの曲面と接触する（図４）。ねじれ等が大きくなると、駆動ワイヤ３２は、拡径穴４３ｂの曲面に固定部４３ａ隣接部から外方に向かって徐々に滑らかに接触していくので、駆動ワイヤ３２に剪断力等が作用することがない。また、窓ガラス５０の形状等によっては、窓ガラス５０が上死点付近または下死点付近を移動するときにワイヤエンド４０の移動軌跡がガイドプーリ１２、２２を結ぶ直線上から外れることがあるが、この場合も駆動ワイヤ３２は、拡径穴４３ｂの曲面に固定部４３ａ隣接部から外方に向かって徐々に滑らかに接触していくので、駆動ワイヤ３２に剪断力等が作用することがない。このように本実施形態のワイヤ式ウィンドレギュレータによれば、駆動ワイヤの経年劣化が少なく、切断等のおそれがない。
【００１８】
また、このワイヤエンド４０を備えたワイヤ式ウィンドレギュレータは、ガイドプーリ１２、ガイドプーリ２２およびワイヤエンド４０のいずれかが、軸方向にオフセットされる構造であっても、あるいは窓ガラス５０が上死点（閉鎖位置）と下死点（開放位置）の間でワイヤエンド４０がガイドプーリ１２、ガイドプーリ２２を結ぶ直線上から外れて移動する構造に適用することができる。
【００１９】
また、図示実施形態において、ワイヤエンド４０から相反する方向に引き出された駆動ワイヤ３２の延長は固定穴４１の中心を通るが、中心から離反した位置を通る構成でもよい。
【００２０】
以上の実施形態は、一対の駆動ワイヤ３２をワイヤエンド４０が結合する役目をしているが、一連の駆動ワイヤ３２をワイヤエンド４０内に埋め込み固定する態様も可能である。図５は、ワイヤエンド４０の上下のワイヤ固定筒状部４３に樹脂材料のインサート成形または金属材料の鋳込み成形によって埋め込まれる駆動ワイヤ３２を、非切断駆動ワイヤ３２′として環状部４２内に通した実施形態である。図６は、さらに、非切断駆動ワイヤ３２′を環状部４２′に一回りさせて埋め込み、固定穴４１′回りを強化した実施形態である。いずれの実施形態も、ワイヤ固定筒状部４３、４３′内の埋め込み固定部から非切断駆動ワイヤ３２′が外部に引き出される開放方向に向かって徐々に径が拡大する拡径穴４３ｂ、４３ｂ′を備える。
【図面の簡単な説明】
【００２１】
【図１】本発明によるワイヤ式ウィンドレギュレータの第一の実施形態を示す正面図である。
【図２】図１のワイヤ式ウィンドレギュレータのワイヤエンドおよびその周辺部の分解斜視図である。
【図３】図２のワイヤエンドを矢視III方向から見た側面図である。
【図４】同実施形態のワイヤエンドから反対方向に延びる駆動ワイヤの一方がワイヤ延長方向から傾斜したときの状態を示す側面図である。
【図５】同ワイヤエンドの別の実施形態を示す斜視図である。
【図６】同ワイヤエンドのさらに別の実施形態を示す斜視図である。
【図７】従来のワイヤ式ウィンドレギュレータを示す正面図である。
【図８】従来のワイヤ式ウィンドレギュレータに用いるワイヤエンドの斜視図である。
【図９】従来のワイヤ式ウィンドレギュレータにおいて、ワイヤエンドから反対方向に延びる駆動ワイヤの一方がワイヤ延長方向から傾斜したときの状態を示す斜視図である。
【符号の説明】
【００２２】
１０  上方ブラケット
１２  ２２  ガイドプーリ
２０  下方ブラケット
３０  巻取装置ブラケット
３１  巻取ドラム
３２  駆動ワイヤ
３２ｃ  切断端部
３３  アウタケーブル
４０  ワイヤエンド
４１  固定穴
４２  環状部
４３  ワイヤ固定筒状部（ワイヤ保持部）
４３ａ  固定部
４３ｂ  拡径穴
５０  窓ガラス
５１  ガラスチャンネル
５２  ガラス挿入溝
５３  固定穴
５４  固定ねじ
【図１】
2006009528.tif 000003
【図２】
2006009528.tif 000004
【図３】
2006009528.tif 000005
【図４】
2006009528.tif 000006
【図５】
2006009528.tif 000007
【図６】
2006009528.tif 000008
【図７】
2006009528.tif 000009
【図８】
2006009528.tif 000010
【図９】
2006009528.tif 000011